(57)【要約】【課題】ベース部から立ち上がり部までの高さが高いコンクリート基礎を施工するにあたって、作業者の安全性を確保するとともに施工時の作業を簡単に行える基礎型枠への足場支持構造を得る。【解決手段】コンクリート基礎１を施工する基礎型枠１０において、隣接する基礎型枠まで離れているところでは、該基礎型枠を構成する一方の型枠パネル５の外側に、複数のハンガー１２を設け、これらのハンガー上に足場板１３を設置する。また、隣接して配置される基礎型枠間の間隔が小さいところでは、基礎型枠の上端部間に足場板２０を掛け渡して設けるとともに、該足場板を基礎型枠を構成する型枠パネル５，５の上端フランジ５ａ，５ａに引っ掛け係止することによりフック付き固定バンド２１で組付け固定する。【選択図】        図１
2005016181.tif 000002
【特許請求の範囲】
【請求項１】
ベース部とその上部に立設された立ち上がり部とからなるほぼ逆Ｔ字状を呈するコンクリート基礎を施工する際に用いられる基礎型枠への足場支持構造であって、
前記コンクリート基礎を施工する部位に相対向して設けられる一対の型枠パネルからなる基礎型枠を備え、
この基礎型枠を構成する一方の型枠パネルの外壁面に、複数の足場支持用ハンガーを所定間隔をおいて付設するとともに、
これらの足場支持用ハンガーに足場板を掛け渡して設けたことを特徴とする基礎型枠への足場支持構造。
【請求項２】
請求項１記載の基礎型枠への足場支持構造において、
前記足場支持用ハンガーは、金属板材によりほぼアーム形状に形成され、基端に型枠パネル側の固定ピンが嵌合する連結孔を有するとともに、先端が型枠パネルから離間する方向に延設されており、
前記型枠パネルを連設する際に該パネルの側部フランジどうしを連結する連結ピンを固定ピンとして連結孔に嵌合させることにより、該型枠パネルに固定されていることを特徴とする基礎型枠への足場支持構造。
【請求項３】
請求項１または請求項２記載の基礎型枠への足場支持構造において、
前記足場支持用ハンガーおよび足場板は、隣接する基礎型枠との間が離れている基礎型枠に付設されていることを特徴とする基礎型枠への足場支持構造。
【請求項４】
ベース部とその上部に立設された立ち上がり部とからなるほぼ逆Ｔ字状を呈するコンクリート基礎を施工する際に用いられる基礎型枠への足場支持構造であって、
前記コンクリート基礎を施工する部位に相対向して設けられる一対の型枠パネルからなる基礎型枠を備え、
隣接する基礎型枠の上端部間に足場板を掛け渡して設けるとともに、
基礎型枠を構成する型枠パネルの上端フランジに引っ掛け係止されるフックを両端に有するフック付きの固定バンドにより、前記足場板を基礎型枠の上端部に組付け固定したことを特徴とする基礎型枠への足場支持構造。
【請求項５】
請求項４記載の基礎型枠への足場支持構造において、
前記足場板は、隣接する基礎型枠どうしが近接して配置されている基礎型枠の上端部間に掛け渡され、固定バンドで固定されていることを特徴とする基礎型枠への足場支持構造。
【請求項６】
ベース部とその上部に立設された立ち上がり部とからなるほぼ逆Ｔ字状を呈するコンクリート基礎を、一対の型枠パネルからなる基礎型枠により施工するにあたって、
隣接する基礎型枠が離間して配置されているところでは、基礎型枠を構成する一方の型枠パネルの外壁面に、複数の足場支持用ハンガーを所定間隔をおいて付設し、これらの足場支持用ハンガーに足場板を掛け渡して設けることにより足場が設けられ、
隣接する基礎型枠が近接して配置されているところでは、基礎型枠の上端部間に足場板を掛け渡して設けるとともに、該足場板を型枠パネルの上端フランジに引っ掛け係止するフックを有する固定バンドで組付け固定することにより足場が設けられ、
これらの足場を使用することによりコンクリート基礎が施工されることを特徴とする足場使用の基礎施工方法。
【発明の詳細な説明】
【０００１】
【発明の属する技術分野】
本発明は、建築物のコンクリート基礎を施工する際に用いる基礎型枠への足場支持構造およびその足場を使用した足場使用の基礎施工方法に関する。
【０００２】
【従来の技術】
住宅等の建築物に布基礎として用いられるコンクリート基礎１は、一般に、図７に示すように、地中に埋め込まれるベース部２と、このベース部２上に立設された立ち上がり部３とから構成されている。このようなコンクリート基礎１は、たとえばベース立ち上がり一体打ち工法では、ベース部２と立ち上がり部３とが、一対の鉄製のベース枠４，４、一対の鋼製の型枠パネル５，５による基礎型枠により形成される空間への打設コンクリートによって一体に施工される。
ここで、図中６はベース鉄筋、７は基礎鉄筋である。なお、型枠パネル５，５はベース部２内に埋設される鉄筋ベース（図示せず）上に支持されることにより立設されている。
【０００３】
ところで、寒冷地において、上述したコンクリート基礎１を施工するには、地盤８を凍結深度よりも深くまで掘り込んだところにベース部２を設置する一方、立ち上がり部３の上端部は、地盤８表面から所定高さまで立ち上がらせる必要がある。したがって、寒冷地におけるコンクリート基礎１は、ベース部２の下面から立ち上がり部３の上端までの高さｈが高くなり、たとえば２ｍ以上にも及ぶことがあった。
【０００４】
このようなコンクリート基礎１を施工するにあたっては、作業者の施工作業のし易さや安全性を確保するために足場を設けることが望ましい。
一般に、コンクリート基礎を施工するにあたって従来は、作業者が基礎型枠を構成する型枠パネル５，５の上端部等に乗って作業を行っているが、安全性の面から問題で、また作業者は基礎型枠を何度も跨いだりするので、手間がかかり面倒である。
【０００５】
このため、基礎型枠の側方に立設させて設けた脚立上に足場板を掛け渡すことで足場を確保したものも知られているが、脚立が必要となるばかりでなく、これを基礎施工現場で組み上げたりする作業が必要であり、実用面で問題である。
さらに、足場板を基礎型枠の上端部等に掛け渡すことで、足場を設けることも従来から行われており、基礎型枠が近接して配列されているところには多く採用されている。しかし、基礎型枠が離間して配列されているところに採用することはできない。
【０００６】
このため、基礎型枠の上端側の側部に複数の踏み台部を、該型枠を構成する型枠パネルどうしの連結ピンを利用して設け、踏み台部間に足場板を掛け渡して設けた構造も知られている（たとえば、特許文献１参照）。
【０００７】
【特許文献１】
特開平７−２５２９３２号公報
【０００８】
【発明が解決しようとする課題】
しかし、このような踏み台部を利用して足場板を設ける従来例では、踏み台部が、踏み板、当接板を有する金属杆からなる補強部材、金属杆からなる掛止部を溶接等で連結することで構成されているから、踏み台部を構成する部品点数が多く、その組立作業も面倒で、コスト高となる等といった問題があった。
【０００９】
特に、この種のコンクリート基礎を施工するにあたっては、コンクリート基礎を施工する際の作業用足場を、簡単な支持構造によって基礎型枠に対して簡単にしかも手軽に付設することができ、しかも作業者の安全性をも確保することができるように構成することが望まれる。
さらに、この種のコンクリート基礎として、ベース部から立ち上がり部の上端までの高さｈが２ｍ以上にも及ぶものを施工する際には、基礎型枠上での作業が高所作業となることから、これに対する対策を講じることも望まれている。
【００１０】
本発明はこのような事情に鑑みてなされたものであり、建築物のコンクリート基礎を施工する際の足場を基礎型枠に対して安定して支持させた状態で付設することができ、施工時の作業能率を大幅に向上させることができるとともに、足場が外れることによる作業員の落下事故等を未然に防止し、作業の安全性を向上させることができる基礎型枠への足場支持構造を得ることを目的としている。
また、本発明は、このような足場を使用することにより、コンクリート基礎の施工を容易に行える足場使用の基礎施工方法を得ることを目的としている。
【００１１】
【課題を解決するための手段】
このような目的に応えるために本発明（請求項１記載の発明）に係る基礎型枠への足場支持構造は、ベース部とその上部に立設された立ち上がり部とからなるほぼ逆Ｔ字状を呈するコンクリート基礎を施工する際に用いられる基礎型枠への足場支持構造であって、前記コンクリート基礎を施工する部位に相対向して設けられる一対の型枠パネルからなる基礎型枠を備え、この基礎型枠を構成する一方の型枠パネルの外壁面に、複数の足場支持用ハンガーを所定間隔をおいて付設するとともに、これらの足場支持用ハンガーに足場板を掛け渡して設けたことを特徴とする。
【００１２】
本発明（請求項２記載の発明）に係る基礎型枠への足場支持構造は、請求項１記載の基礎型枠への足場支持構造を具体的に限定したものであって、前記足場支持用ハンガーは、金属板材によりほぼアーム形状に形成され、基端に型枠パネル側の固定ピンが嵌合する連結孔を有するとともに、先端が型枠パネルから離間する方向に延設されており、前記型枠パネルを連設する際に該パネルの側部フランジどうしを連結する連結ピンを固定ピンとして連結孔に嵌合させることにより、該型枠パネルに固定されていることを特徴とする。
【００１３】
本発明（請求項３記載の発明）に係る基礎型枠への足場支持構造は、請求項１または請求項２記載の基礎型枠への足場支持構造を具体的に限定したものであり、前記足場支持用ハンガーおよび足場板は、隣接する基礎型枠との間が離れている基礎型枠に付設されていることを特徴とする。
【００１４】
本発明（請求項４記載の発明）に係る基礎型枠への足場支持構造は、ベース部とその上部に立設された立ち上がり部とからなるほぼ逆Ｔ字状を呈するコンクリート基礎を施工する際に用いられる基礎型枠への足場支持構造であって、前記コンクリート基礎を施工する部位に相対向して設けられる一対の型枠パネルからなる基礎型枠を備え、隣接する基礎型枠の上端部間に足場板を掛け渡して設けるとともに、基礎型枠を構成する型枠パネルの上端フランジに引っ掛け係止されるフックを両端に有するフック付きの固定バンドにより、前記足場板を基礎型枠の上端部に組付け固定したことを特徴とする。
【００１５】
本発明（請求項５記載の発明）に係る基礎型枠への足場支持構造は、請求項４記載の基礎型枠への足場支持構造を具体的に限定したものであり、前記足場板は、隣接する基礎型枠どうしが近接して配置されている基礎型枠の上端部間に掛け渡され、固定バンドで固定されていることを特徴とする。
【００１６】
本発明（請求項６記載の発明）に係る足場利用の基礎施工方法は、ベース部とその上部に立設された立ち上がり部とからなるほぼ逆Ｔ字状を呈するコンクリート基礎を、一対の型枠パネルからなる基礎型枠により施工するにあたって、隣接する基礎型枠が離間して配置されているところでは、基礎型枠を構成する一方の型枠パネルの外壁面に、複数の足場支持用ハンガーを所定間隔をおいて付設し、これらの足場支持用ハンガーに足場板を掛け渡して設けることにより足場が設けられ、隣接する基礎型枠が近接して配置されているところでは、基礎型枠の上端部間に足場板を掛け渡して設けるとともに、該足場板を型枠パネルの上端フランジに引っ掛け係止するフックを有する固定バンドで組付け固定することにより足場が設けられ、これらの足場を使用することによりコンクリート基礎が施工されることを特徴とする。
【００１７】
本発明（請求項１ないし請求項３記載の発明）によれば、コンクリート基礎を施工する基礎型枠において、たとえば隣接する基礎型枠までの間隔が大きいところでは、該基礎型枠を構成する一方の型枠パネルの外側に、複数のハンガーを所定間隔をおいて設け、これらのハンガー上に足場板を設置して組み付けることで、作業用足場を設ける。
【００１８】
本発明（請求項４および請求項５記載の発明）によれば、たとえば隣接して配置される基礎型枠間の間隔が小さいところでは、それぞれの基礎型枠の上端部間に足場板を掛け渡して設けるとともに、該足場板を基礎型枠を構成する型枠パネルの上端フランジに引っ掛け係止することにより組み付けられるフック付きゴムバンドで組付け固定することで、作業用足場を設ける。
【００１９】
本発明（請求項６記載の発明）によれば、足場支持用ハンガーと足場板とにより基礎型枠の上端寄りの部分に設けた作業用足場と、足場板とフック付きゴムバンドとにより基礎型枠の上端部分に設けた作業用足場とを適宜用いることによって、建築物のコンクリート基礎を、安全にしかも簡単かつ確実に施工することができるのである。
【００２０】
【発明の実施の形態】
図１ないし図５は本発明に係る基礎型枠への足場支持構造および足場使用の基礎施工方法の一つの実施の形態を示す。これらの図において、前述した図７と同一または相当する部分には同一番号を付して詳細な説明は省略する。
【００２１】
図１において、符号１０は一般住宅等の建築物のコンクリート基礎を形成するための基礎型枠であって、建築物のうち居室等に対応する部分は、図中１１Ａで示すように隣接する基礎型枠１０どうしの間隔が広く、玄関、浴室、トイレ等に対応する部分は、図中１１Ｂで示すように隣接する基礎型枠１０どうしの間隔が狭くなるようになっている。なお、図１では、ベース部２とその上部に立設された立ち上がり部３とからなるほぼ逆Ｔ字状を呈するコンクリート基礎１を形成する基礎型枠１０のうち、立ち上がり部３を形成するために相対向して設けられる一対の型枠パネル５，５を図示している。また、図２において符号９は相対向して設けられる一対の型枠パネル５，５を所定間隔をおいて保持するためのセパレータである。
【００２２】
このような基礎型枠１０において、たとえば隣接する基礎型枠１０までの間隔が離れているところ（１１Ａ）には、図１、図２に示すように、該基礎型枠１０を構成する一方の型枠パネル５の外壁面であって上端部寄りの部分に、複数の足場支持用ハンガー１２を所定間隔をおいて設け、これらのハンガー１２上に足場板１３を掛け渡して設置することにより、作業用足場１４が設けられている。
【００２３】
ここで、足場支持用ハンガー１２は、図２および図３に示すように、金属板材によりほぼアーム形状に形成され、基端に型枠パネル５，５側の固定ピン１５が嵌合する連結孔１２ｂを有するとともに、先端が型枠パネル５から離間する方向に延設されている。そして、このハンガー１２は、前記型枠パネル５を連設する際に該パネル５の側部フランジ５ｂ，５ｂどうしを連結する連結ピンを固定ピン１５として連結孔１２ｂに嵌合させることにより、該型枠パネル５，５に固定されている。
【００２４】
すなわち、上述した基礎型枠１０は、複数枚の型枠パネル５を順次面方向に並べて並設し、その側部フランジ５ｂ，５ｂどうしを連結用Ｕピンを回動操作することで、一体的に連結している。そして、この連結用Ｕピンにおける支軸部を、上述した固定ピン１５として利用することにより、前記ハンガー１２を、型枠パネル５，５の外壁面に組付け固定している。
【００２５】
このハンガー１２は、図３に示すように、基端部の連結孔１２ｂに前記固定ピン１５が嵌合し、かつ基端部の側縁部１２ａが型枠パネル５の外壁面に当接することにより、先端が外方に水平に延設された状態で組付け固定される。なお、前記ハンガー１２において、連結孔１２ｂの外側部分に形成されている切り欠き１６は、前記型枠パネル５，５どうしを連結するように外壁面に沿って水平方向に設けられる補強用鉄パイプ（図示せず）が嵌め込まれる部分である。
【００２６】
前述した基礎型枠１０において、たとえば隣接して配置される基礎型枠１０間の間隔が狭いところ（１１Ｂ）には、図１、図４、図５に示すように、それぞれの基礎型枠１０の上端部間に足場板２０を掛け渡して設けるとともに、該足場板２０を基礎型枠１０を構成するように相対向して設けられている型枠パネル５，５の上端フランジ５ａ，５ａに引っ掛け係止することにより組み付けられるフック付き固定バンドとしてのフック付きゴムバンド２１で組付け固定することで、作業用足場２２が設けられている。
【００２７】
すなわち、図４、図５に示すように、ゴムバンド２１の一方のフック２３を、一方の型枠パネル５における上端フランジ５ａに引っ掛け、他方のフック２４を他方の型枠パネル５の上端フランジ５ａに引っ掛けることにより、足場板２０を組付け固定するように構成している。これにより、足場板２０が基礎型枠１０に対して確実に固定された状態になることから、作業者の作業時における安全性を確保し得るものである。
【００２８】
ここで、この実施の形態では、図４に示すように、上述した作業用足場２２に対して高所作業用として、ロープ２６による手摺り２７を設けた場合を示している。これは、たとえば２ｍ以上に及ぶ高所作業である場合に必要である。
この場合には、足場板２０の両側にねじ部２８を設け、これに支柱２９を着脱自在に設け、さらに該支柱２９の上端部間にロープ２６を渡すことで形成される。このようにすれば、作業者の安全確保を図るうえで有益である。
【００２９】
図１において、３０は基礎型枠１０に設けた前述した作業用足場１４，２２などに作業者が乗る際の乗り口となる足場で、この足場３０はたとえば基礎施工現場に組み上げた脚立などで支持されたものを用いるとよい。
【００３０】
以上の構成において、ベース部２とその上部に立設された立ち上がり部３とからなるほぼ逆Ｔ字状を呈するコンクリート基礎１を、一対の型枠パネル５，５からなる基礎型枠１０により施工するにあたって、隣接する基礎型枠１０が離間して配置されているところでは、基礎型枠１０を構成する一方の型枠パネル５の外壁面に、複数の足場支持用ハンガー１２を所定間隔をおいて付設し、これらの足場支持用ハンガー１２に足場板１３を掛け渡して設けることにより足場１４を設け、また隣接する基礎型枠１０が近接して配置されているところでは、基礎型枠１０の上端部間に足場板２０を掛け渡して設けるとともに、該足場板２０を型枠パネル５，５の上端フランジ５ａ，５ａに引っ掛け係止するフック２３，２４を有する固定バンド２１で組付け固定することにより足場２２を設けるとよい。
【００３１】
すなわち、たとえば寒冷地等において、ベース部２から立ち上がり部３までの立ち上がり高さが高いコンクリート基礎１を施工するにあたって、足場支持用ハンガー１２と足場板１３とにより基礎型枠１０の上端寄りの部分に設けた作業用足場１４と、足場板２０とフック付きゴムバンド２１とにより基礎型枠１０の上端部分に設けた作業用足場２２とを適宜用いることによって、建築物のコンクリート基礎１を、安全にしかも簡単かつ確実に施工することができるのである。
【００３２】
ここで、上述した基礎型枠１０において、相対向して設けられる一対の型枠パネル５，５のうちの一方の内壁部分に、図６に示すようなレベル調整機構４０を設け、打設コンクリートの天端レベル調整を行うように構成するとよい。図中、符号４１は型枠パネル５の上端フランジ５ａの上部にジョイント４２で固定されるＬ字状の本体プレートで、この本体プレート４１には、レベル調整部材４３を上下動可能に保持する保持アーム４４，４５が設けられるとともに、該レベル調整部材４３を所定位置でねじ止めする調整ねじ４６が設けられている。
【００３３】
前記レベル調整部材４３の上端部には、水平状態とレベル検出を行うレベル検出器４７を載せるための当接板４３ａが設けられるとともに、下端部には打設コンクリートの天端レベルを確認するための水糸４８を張る。すなわち、上記のジョイント４２によって、本体プレート４１、レベル調整部材４３、ねじ４６等からなる機構部品を、基礎型枠１０に対して所定間隔をおいて設け、その間に水糸４８を張る。そして、それぞれのレベル調整部材４３を上下動させながら、検出器４７でレベル調整を行い、所定のレベルでねじ４６により固定する。このようにすれば、張られている水糸４８によって、打設コンクリートのレベルの確認が容易に行える。
【００３４】
なお、本発明は上述した実施の形態で説明した構造には限定されず、作業用足場１４，２２を構成する各部の形状、構造等を適宜変形、変更し得ることはいうまでもない。
【００３５】
【発明の効果】
以上説明したように本発明に係る基礎型枠への足場支持構造によれば、建築物のコンクリート基礎を施工する際の作業用足場を、基礎型枠に対して安定して支持させた状態で付設することができ、施工時の作業能率を大幅に向上させることができるとともに、足場が外れることによる作業員の落下事故等を未然に防止し、作業の安全性を向上させることができる。
【００３６】
また、本発明に係る足場使用の基礎施工方法によれば、足場支持用ハンガーと足場板とにより基礎型枠の上端寄りの部分に設けた作業用足場と、足場板とフック付きゴムバンドとにより基礎型枠の上端部分に設けた作業用足場とを適宜用いることによって、建築物のコンクリート基礎を、たとえ寒冷地等にあっても、安全にしかも簡単かつ確実に施工することができる。
【図面の簡単な説明】
【図１】本発明に係る基礎型枠への足場支持構造および足場使用の基礎施工方法の一実施の形態を示し、建築物のコンクリート基礎を施工する際の全体の概略構成を示す概略図である。
【図２】足場支持用ハンガーと足場板とからなる作業用足場の支持構造を説明するための概略斜視図である。
【図３】足場支持用ハンガーの基礎型枠への組付け固定状態を説明するための図である。
【図４】足場板とフック付き固定ベルトとからなる作業用足場の支持構造を説明するための概略斜視図である。
【図５】図４の足場支持構造の要部を説明するための図である。
【図６】基礎型枠に装備される打設コンクリートの天端レベル調整機構を説明するための概略斜視図である。
【図７】コンクリート基礎の施工状態を説明するための概略断面図である。
【符号の説明】
１…コンクリート基礎、２…ベース部、３…立ち上がり部、５，５…型枠パネル、５ａ…上端フランジ、５ｂ…側部フランジ、１０…基礎型枠、１２…足場支持用ハンガー、１２ａ…側縁部、１２ｂ…連結孔、１３…足場板、１４…作業用足場、１５…固定ピン、１６…切り欠き、２０…足場板、２１…フック付き固定バンド（フック付きゴムバンド）、２２…作業用足場、２３，２４…フック、２７…手摺。
【図１】
2005016181.tif 000003
【図２】
2005016181.tif 000004
【図３】
2005016181.tif 000005
【図４】
2005016181.tif 000006
【図５】
2005016181.tif 000007
【図６】
2005016181.tif 000008
【図７】
2005016181.tif 000009